(57)【特許請求の範囲】
【請求項１】
前方に開口を有する本体筐体と、
前記本体筐体に対して回動可能に取付けられることで前記開口を開閉可能な状態で閉塞させる外装用前扉と、
前記本体筐体及び前記外装用前扉によって形成される空間の内側に設けられた電源ユニットと、
前記電源ユニットの前面に設けられ、設定キーと嵌合する設定キー嵌合部を有し、当該設定キー嵌合部が前記設定キーと嵌合することで当該設定キー嵌合部のオフ位置からオン位置への回動操作が可能になる設定用シリンダ錠と、
前記電源ユニットに対して回動可能に取付けられることで前記電源ユニットの前面を開閉可能な状態で覆うとともに、前記電源ユニットの前面を覆った状態で前記設定キーが前記設定キー嵌合部と嵌合し、且つ当該設定キー嵌合部がオン位置にある場合に限って、前記設定キーの操作部を収納する設定キー収容部を形成した電源ユニット用前扉と、
前記電源ユニットに対する前記電源ユニット用前扉の開閉を検出する開閉検出スイッチと、
前記電源ユニットの前面以外に設けられ、設定変更のための操作入力が可能な設定変更用操作入力手段と、
前記開閉検出スイッチの検出結果が前記電源ユニット用前扉の閉塞を示し、且つ前記設定キー嵌合部がオン位置にある場合に限って、前記設定変更用操作入力手段からの操作入力に基づいて入賞役を抽選する抽選確率の設定変更を行う設定変更手段と、
を備えることを特徴とする遊技機。
【請求項２】
前方に開口を有する本体筐体と、
前記本体筐体に対して回動可能に取付けられることで前記開口を開閉可能な状態で閉塞させる外装用前扉と、
前記本体筐体及び前記外装用前扉によって形成される空間の内側に設けられた電源ユニットと、
前記電源ユニットの前面に設けられ、設定キーと嵌合する設定キー嵌合部を有し、当該設定キー嵌合部が前記設定キーと嵌合することで当該設定キー嵌合部のオフ位置からオン位置への回動操作が可能になる設定用シリンダ錠と、
前記電源ユニットに対して回動可能に取付けられることで前記電源ユニットの前面を開閉可能な状態で覆うとともに、前記電源ユニットの前面を覆った状態で前記設定キーが前記設定キー嵌合部と嵌合し、且つ当該設定キー嵌合部がオン位置にある場合に限って、前記設定キーの操作部を収納する設定キー収容部を形成した電源ユニット用前扉と、
前記電源ユニット用前扉に設けられ、当該電源ユニット用前扉の開閉に応じて固有情報を出力するＩＣタグと、
前記ＩＣタグからの前記固有情報を受信することで前記電源ユニットに対する前記電源ユニット用前扉の開閉を検出する開閉検出手段と、
前記電源ユニットの前面以外に設けられ、設定変更のための操作入力が可能な設定変更用操作入力手段と、
前記開閉検出手段の検出結果が前記電源ユニット用前扉の閉塞を示し、且つ前記設定キー嵌合部がオン位置にある場合に限って、前記設定変更用操作入力手段からの操作入力に基づいて入賞役を抽選する抽選確率の設定変更を行う設定変更手段と、
を備えることを特徴とする遊技機。
【請求項３】
前方に開口を有する本体筐体と、
前記本体筐体に対して回動可能に取付けられることで前記開口を開閉可能な状態で閉塞させる外装用前扉と、
前記本体筐体及び前記外装用前扉によって形成される空間の内側に設けられた電源ユニットと、
前記電源ユニットの前面に設けられ、設定キーと嵌合する設定キー嵌合部を有し、当該設定キー嵌合部が前記設定キーと嵌合することで当該設定キー嵌合部のオフ位置からオン位置への回動操作が可能になる設定用シリンダ錠と、
前記電源ユニットに対して回動可能に取付けられることで前記電源ユニットの前面を開閉可能な状態で覆うとともに、前記電源ユニットの前面を覆った状態で前記設定キーが前記設定キー嵌合部と嵌合し、且つ当該設定キー嵌合部がオン位置にある場合に限って、前記設定キーの操作部を収納する設定キー収容部を形成した電源ユニット用前扉と、
特定の第１の固有情報を有し、前記設定キー嵌合部に前記設定キーが嵌合した状態で前記設定キー嵌合部がオン位置にある場合に前記特定の第１の固有情報を出力する前記設定キーに設けられた設定キー側ＩＣタグと、
特定の第２の固有情報を有し、前記電源ユニット用前扉の開閉に応じて前記特定の第２の固有情報を出力する前扉側ＩＣタグと、
前記設定キー側ＩＣタグから出力された前記特定の第１の固有情報及び前記前扉側ＩＣタグから出力された前記特定の第２の固有情報を受信する固有情報受信部と、
前記電源ユニットの前面以外に設けられ、設定変更のための操作入力が可能な設定変更用操作入力手段と、
前記特定の第２の固有情報が前記特定の第１の固有情報より後に供給され、且つ前記特定の第２の固有情報が前記特定の第１の固有情報と一致または対応した場合に限り、前記設定変更用操作入力手段からの操作入力に基づいて入賞役を抽選する抽選確率の設定変更を行う設定変更手段と、
を備えることを特徴とする遊技機。
【発明の詳細な説明】
【技術分野】
【０００１】
本発明は、入賞役の抽選を行うとともに当該入賞役を抽選する抽選確率の設定変更が可能な遊技機に関する。
【背景技術】
【０００２】
従来、スロットマシン等の遊技機には、本体筐体の前面にヒンジを介して開閉可能に取付けられた開閉扉（外装用前扉）が不正に開放されることを防止するために一般的に施錠装置が設けられている。
【０００３】
また、従来のスロットマシンにおいて、遊技の際に払い出される遊技媒体の払い出し確率（ペイアウト率）、言い換えれば入賞役の当選確率の設定変更は、電源装置等に組み込まれる設定変更入力部で行われている。この設定変更入力部は、例えば６段階の入賞役の当選確率から１つを選択するための設定変更ボタンや現在の設定を確認する表示部、設定値を変更し確定する際に操作される確定スイッチ等から構成される。入賞役の当選確率の設定変更を行う場合には、電源装置等に設けられた鍵穴に専用の鍵となる設定キーを挿入し、設定変更を有効とする位置まで設定キーを所定方向に回転させる。そして、スロットマシンの電源をオンにし、設定変更ボタンを操作選択した後に所定のスイッチ操作を行うことで入賞役の当選確率の設定変更を確定し実行することができる。なお、設定キーは遊技場の特定の店員又は経営者もしくは責任者しか保持所有していないので、遊技者等が設定変更を行うことができないようになっている（例えば特許文献１参照）。
【０００４】
【特許文献１】特開２００６−５５５９６号公報
【発明の開示】
【発明が解決しようとする課題】
【０００５】
しかしながら従来の遊技機では、外装用前扉と本体筐体の間の隙間から不正器具が挿入され電源装置等の鍵穴や設定変更入力部が不正器具により不正に操作させることで入賞役の当選確率が高い方に不正に設定変更されることがあった。
【０００６】
本発明は、こうした従来の問題に鑑みてなされたものであり、外装用前扉と本体筐体の間の隙間から不正器具が挿入され入賞役の当選確率が高い方に不正に設定変更されることを防止できる遊技機を提供することを目的としている。
【課題を解決するための手段】
【０００７】
上述した課題を解決するため、請求項１に記載の発明は、前方に開口を有する本体筐体と、前記本体筐体に対して回動可能に取付けられることで前記開口を開閉可能な状態で閉塞させる外装用前扉と、前記本体筐体及び前記外装用前扉によって形成される空間の内側に設けられた電源ユニットと、前記電源ユニットの前面に設けられ、設定キーと嵌合する設定キー嵌合部を有し、当該設定キー嵌合部が前記設定キーと嵌合することで当該設定キー嵌合部のオフ位置からオン位置への回動操作が可能になる設定用シリンダ錠と、前記電源ユニットに対して回動可能に取付けられることで前記電源ユニットの前面を開閉可能な状態で覆うとともに、前記電源ユニットの前面を覆った状態で前記設定キーが前記設定キー嵌合部と嵌合し、且つ当該設定キー嵌合部がオン位置にある場合に限って、前記設定キーの操作部を収納する設定キー収容部を形成した電源ユニット用前扉と、前記電源ユニットに対する前記電源ユニット用前扉の開閉を検出する開閉検出スイッチと、前記電源ユニットの前面以外に設けられ、設定変更のための操作入力が可能な設定変更用操作入力手段と、前記開閉検出スイッチの検出結果が前記電源ユニット用前扉の閉塞を示し、且つ前記設定キー嵌合部がオン位置にある場合に限って、前記設定変更用操作入力手段からの操作入力に基づいて入賞役を抽選する抽選確率の設定変更を行う設定変更手段と、を備えることを特徴とする。
【０００８】
請求項２に記載の発明は、前方に開口を有する本体筐体と、前記本体筐体に対して回動可能に取付けられることで前記開口を開閉可能な状態で閉塞させる外装用前扉と、前記本体筐体及び前記外装用前扉によって形成される空間の内側に設けられた電源ユニットと、前記電源ユニットの前面に設けられ、設定キーと嵌合する設定キー嵌合部を有し、当該設定キー嵌合部が前記設定キーと嵌合することで当該設定キー嵌合部のオフ位置からオン位置への回動操作が可能になる設定用シリンダ錠と、前記電源ユニットに対して回動可能に取付けられることで前記電源ユニットの前面を開閉可能な状態で覆うとともに、前記電源ユニットの前面を覆った状態で前記設定キーが前記設定キー嵌合部と嵌合し、且つ当該設定キー嵌合部がオン位置にある場合に限って、前記設定キーの操作部を収納する設定キー収容部を形成した電源ユニット用前扉と、前記電源ユニット用前扉に設けられ、当該電源ユニット用前扉の開閉に応じて固有情報を出力するＩＣタグと、前記ＩＣタグからの前記固有情報を受信することで前記電源ユニットに対する前記電源ユニット用前扉の開閉を検出する開閉検出手段と、前記電源ユニットの前面以外に設けられ、設定変更のための操作入力が可能な設定変更用操作入力手段と、前記開閉検出手段の検出結果が前記電源ユニット用前扉の閉塞を示し、且つ前記設定キー嵌合部がオン位置にある場合に限って、前記設定変更用操作入力手段からの操作入力に基づいて入賞役を抽選する抽選確率の設定変更を行う設定変更手段と、を備えることを特徴とする。
【０００９】
請求項３に記載の発明は、前方に開口を有する本体筐体と、前記本体筐体に対して回動可能に取付けられることで前記開口を開閉可能な状態で閉塞させる外装用前扉と、前記本体筐体及び前記外装用前扉によって形成される空間の内側に設けられた電源ユニットと、前記電源ユニットの前面に設けられ、設定キーと嵌合する設定キー嵌合部を有し、当該設定キー嵌合部が前記設定キーと嵌合することで当該設定キー嵌合部のオフ位置からオン位置への回動操作が可能になる設定用シリンダ錠と、前記電源ユニットに対して回動可能に取付けられることで前記電源ユニットの前面を開閉可能な状態で覆うとともに、前記電源ユニットの前面を覆った状態で前記設定キーが前記設定キー嵌合部と嵌合し、且つ当該設定キー嵌合部がオン位置にある場合に限って、前記設定キーの操作部を収納する設定キー収容部を形成した電源ユニット用前扉と、特定の第１の固有情報を有し、前記設定キー嵌合部に前記設定キーが嵌合した状態で前記設定キー嵌合部がオン位置にある場合に前記特定の第１の固有情報を出力する前記設定キーに設けられた設定キー側ＩＣタグと、特定の第２の固有情報を有し、前記電源ユニット用前扉の開閉に応じて前記特定の第２の固有情報を出力する前扉側ＩＣタグと、前記設定キー側ＩＣタグから出力された前記特定の第１の固有情報及び前記前扉側ＩＣタグから出力された前記特定の第２の固有情報を受信する固有情報受信部と、前記電源ユニットの前面以外に設けられ、設定変更のための操作入力が可能な設定変更用操作入力手段と、前記特定の第２の固有情報が前記特定の第１の固有情報より後に供給され、且つ前記特定の第２の固有情報が前記特定の第１の固有情報と一致または対応した場合に限り、前記設定変更用操作入力手段からの操作入力に基づいて入賞役を抽選する抽選確率の設定変更を行う設定変更手段と、を備えることを特徴とする。
【００１０】
請求項１に記載の発明によれば、設定変更手段は、開閉検出スイッチの検出結果が前記電源ユニット用前扉の閉塞を示し、且つ前記設定キー嵌合部がオン位置にある場合に限って、設定変更用操作入力手段からの操作入力に基づいて入賞役を抽選する抽選確率の設定変更を行うので、外装用前扉と本体筐体の間の隙間から不正器具が挿入され入賞役の当選確率が高い方に不正に設定変更されることを防止できる。
【００１１】
請求項２に記載の発明によれば、開閉検出手段は、ＩＣタグからの固有情報を受信することで前記電源ユニットに対する電源ユニット用前扉の開閉を検出し、設定変更手段は、開閉検出手段の検出結果が電源ユニット用前扉の閉塞を示し、且つ前記設定キー嵌合部がオン位置にある場合に限って、設定変更用操作入力手段からの操作入力に基づいて入賞役を抽選する抽選確率の設定変更を行うので、外装用前扉と本体筐体の間の隙間から不正器具が挿入され入賞役の当選確率が高い方に不正に設定変更されることを防止できる。
【００１２】
請求項３に記載の発明によれば、設定変更手段は、前記特定の第２の固有情報が前記特定の第１の固有情報より後に供給され、且つ前記特定の第２の固有情報が前記特定の第１の固有情報と一致または対応した場合に限り、前記設定変更用操作入力手段からの操作入力に基づいて前記入賞役を抽選する抽選確率の設定変更を行うので、外装用前扉と本体筐体の間の隙間から不正器具が挿入され入賞役の当選確率が高い方に不正に設定変更されることを防止できる。
【発明の効果】
【００１３】
本発明の遊技機によれば、前扉と筐体の間の隙間から不正器具が挿入され入賞役の当選確率が高い方に不正に設定変更されることを防止できるので、不正な遊技行為を防止して遊技施設の経営改善を図ることができる。
【発明を実施するための最良の形態】
【００１４】
以下、本発明に係る遊技機の好適な第１の実施形態をスロットマシンを例に図面を参照して説明する。なお、図１はスロットマシン１の外観構造を表した斜視図である。図２は外装用前扉３を開放した状態におけるスロットマシン１の内部構造を表した図である。図３はスロットマシン１の制御システムを表したブロック図である。
【００１５】
図１において、スロットマシン１は、前方に開口を有する略矩形状の箱体である本体筐体２と、当該本体筐体２に対して蝶番機構により回動可能に取付けられることで前記開口を開閉可能な状態で閉塞させる外装用前扉３とを備えている。
【００１６】
外装用前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６２が一体的に形成されたメダル受皿部６が設けられている。
【００１７】
また、上部パネル部４と下部パネル部５との間には、遊技者側に突出し、ゲーム操作を行うためのスイッチ類が配置されている操作部７が一体的に形成されている。なお、上部パネル部４、操作部７、下部パネル部５、及びメダル受皿部６は、遊技者側に面し、これらによって「前面パネル部」が構成される。
【００１８】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して本体筐体２内に設けられているリールユニット１００の３個のリール１０１ａ、１０１ｂ、１０１ｃが目視されるようになっている。
【００１９】
ここで、本体筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００２０】
また、パネル面４１には、スロットマシン１にクレジット（貯留）されているメダル数を数値表示する数値情報表示部１５１と、入賞によって獲得したメダル数及び入賞役を抽選する抽選確率の設定を切換選択して数値表示する数値情報表示部１５２とが、それぞれ表示窓４２の下方に設けられている。数値情報表示部１５１、１５２は、どちらも二桁の７セグの発光ダイオードで構成されており、二桁の数字を表示する。
【００２１】
上部パネル部４の上部には、高輝度発光ダイオード等のランプ類を内蔵する演出用照明部４３と、ゲームに係る効果音を発生させるスピーカを内蔵する演出用放音部４４ａ、４４ｂが配置されている。
【００２２】
スロットマシン１は、ゲームの進行に応じて上述した演出用照明部４３等が点灯又は点滅することで、ゲームにおける視覚的な演出効果を高めるように形成されている。
【００２３】
また、演出用放音部４４ａ、４４ｂの間には、透明な硬質プラスチック板等が嵌め込まれて形成された表示窓４５に面して遊技機の演出装置として液晶表示装置４６が配置されている。なお、液晶表示装置４６は、ゲームの演出に係る映像やゲーム（遊技）に関する情報を主に表示する。
【００２４】
操作部７の上面右側にはメダル投入ガイド７１が設けられている。メダル投入ガイド７１はメダルを投入するためのメダル投入口７２を有する。また、当該上面の左側には、押しボタンスイッチである２個のベットボタン７３、７４が設けられている。
【００２５】
ベットボタン７３、７４はスロットマシン１の１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２６】
操作部７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２７】
また、操作部７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２８】
さらに、操作部７の前面の左隅には、ゲームに賭けられたメダルをキャンセルして払い出させることを指示するとともに、後述するメダルクレジット手段１２６（図３参照）が内部貯留したメダルを精算して払い出させることを指示するための精算ボタン７７が設けられている。
【００２９】
操作部７の前面右側には、前扉用シリンダ錠７８が設けられている。前扉用シリンダ錠７８には、外装用前扉３を開錠するための鍵が挿入される鍵穴７９が設けられている。スロットマシン１の管理者等が鍵穴７９に所定の扉キーを挿入して開錠操作すると、蝶番機構によって本体筐体２に取付けられている外装用前扉３を前方へ開くことができ、また外装用前扉３を本体筐体２側に閉じると、自動的にこれらを施錠するようになっている。
【００３０】
下部パネル部５には、スロットマシン１のモデルタイプを遊技者へ認識させる等のため、登場キャラクターの絵などを表示する表示パネル５１が設けられている。
【００３１】
下部パネル部５の下側に配置されたメダル受皿部６には、入賞時にメダルを排出するメダル払出口６１と、払い出されたメダルを貯留するメダル受皿６２と、演出効果音を発生させるスピーカを内蔵する左右の演出用放音部６３ａ、６３ｂとが配置されている。
【００３２】
次に、図２を参照して、本体筐体２の内部構造と外装用前扉３の裏面構造とを説明する。
図２において、本体筐体２の前方には開口８を有している。この開口８内の上部には、左右のブラケット部材８１、８２を介して硬質プラスチックの基板ケース８０に収納された主制御基板２０が取付けられている。主制御基板２０は、スロットマシン１の全体動作を集中制御するＣＰＵ（マイコン）を備えている。
【００３３】
本体筐体２内の中央には、リール１０１ａ、１０１ｂ、１０１ｃを備えるリールユニット１００が設けられている。リールユニット１００は、外装用前扉３が本体筐体２側に閉じられると外装用前扉３の表示窓４２にリール１０１ａ、１０１ｂ、１０１ｃが対向するように、所定フレームに位置決めされて取付けられている。なお、各リール１０１ａ、１０１ｂ、１０１ｃは、それぞれに内蔵されたステッピングモータによって回転駆動される。
【００３４】
また、リールユニット１００の上部には、各リールを回転駆動する上記ステッピングモータへ４相の駆動パルス信号を送出する回胴装置基板が取付けられており、主制御基板２０が回胴装置基板に回胴駆動（励磁）パルスデータを送出することで、各リールの回転と制動及び停止の制御を行っている。
【００３５】
リールユニット１００の下方には、ホッパ装置２１と、ホッパ装置２１から溢れたメダルを収容するための補助貯留部２３と、電源ユニット２４が設けられている。電源ユニット２４の内部の右側には、いわゆる配電盤に相当する電源基板２５が設けられている。
【００３６】
電源ユニット２４の前面部２０２には、機械式の開閉検出スイッチ２１１や設定用シリンダ錠２２０等の操作部が設けられている。前面部２０２の表面は、電源ユニット用前扉２０４によって開閉可能になっている。
【００３７】
電源ユニット２４は、ハーネスを介してホッパ装置２１及び主制御基板２０等の電気部品と電気的に接続する。前記本体筐体２の壁面に形成された貫通孔９に挿通された電源コード１０を介して本体筐体２の外部から電力が供給され、供給された電力から所定の電圧値の電力を生成してホッパ装置２１及び主制御基板２０等の電気部品に供給する。ホッパ装置２１の前面には、メダルを排出するメダル排出口２２が設けられている。
【００３８】
更に、本体筐体２の上部右側の内壁に、遊技場に設置されている「ホールコンピュータ」と呼ばれる管理用コンピュータと接続可能な外部集中端子基板２６が取付けられている。
【００３９】
一方、外装用前扉３の裏面側上部には、発光駆動部３０が配置されている。発光駆動部３０は、演出用照明部４３の光源である高輝度の発光ダイオードが複数配列され、この発光ダイオードを発光駆動する駆動回路が実装されている。
【００４０】
また、外装用前扉３の裏面側上部には、上述の演出用放音部４４ａ、４４ｂに対向してスピーカ３２ａ、３２ｂが取付けられている。また、スピーカ３２ａ、３２ｂの間には、液晶表示装置４６が取付けられている。更に、液晶表示装置４６の裏面側には、電気回路基板で形成され硬質プラスチックの基板ケース９０に収納されたサブ制御基板４０が取付けられている。
【００４１】
主制御基板２０及びサブ制御基板４０は、スロットマシン１の作動を制御する制御基板である。
【００４２】
サブ制御基板４０の下方には、リール１０１ａ、１０１ｂ、１０１ｃを目視させるための透明な表示窓４２が形成されたパネル板４７が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４３】
中央表示基板３３の後側板面の右側（この場合の右側は、外装用前扉３の前方から見た場合の右側を示している。）には、設定変更ボタン１４１が設けられている。設定変更ボタン１４１は、ヒンジ機構により開閉可能な透明カバー１４２により覆われている。
【００４４】
中央表示基板３３の下方には、メダル選別装置３４が取付けられている。メダル選別装置３４は、メダル投入ガイド７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４５】
メダル選別装置３４の装置本体の下方には、メダル選別装置３４によって振り分けられた正規のメダルを本体筐体２内に設けられているホッパ装置２１へ案内するガイド部材３５と、メダル選別装置３４により排除されたメダル（又は異物）をメダル払出口６１へ案内するガイド部材３６が設けられている。また、外装用前扉３の裏面側下部には、ホッパ装置２１のメダル排出口２２から排出されたメダルをメダル払出口６１へ案内するガイド部材３７が設けられている。更に、メダル払出口６１に隣接して、上述した演出用放音部６３ａ、６３ｂに対向するスピーカ３８ａ、３８ｂが取付けられている。
【００４６】
なお、スロットマシン１全体の動作は、本体筐体２側に設けられている主制御基板２０によって統括制御されており、サブ制御基板４０は、液晶表示装置４６による演出映像の表示制御、及び演出用放音部４４ａ、４４ｂ、６３ａ、６３ｂのスピーカ３２ａ、３２ｂ、３８ａ、３８ｂを使った演出効果音制御など、ゲームの演出に係る制御を主に行っている。
【００４７】
次に、図３のブロック図を参照して、スロットマシン１に設けられている制御システムについて説明する。
【００４８】
図３において、主制御基板２０は、ＣＰＵ１２０と、記憶部１２１とを備えている。
【００４９】
記憶部１２１は、ＲＯＭ、ＲＡＭ等の半導体メモリによって構成され、主要構成としてプログラムＲＯＭ１２２と制御ＲＡＭ１２３を有している。記憶部１２１のプログラムＲＯＭ１２２には、スロットマシンゲーム用のシステムプログラム１２４が予め記憶されている。主制御基板２０は、記憶部１２１のプログラムＲＯＭ１２２に記憶されたシステムプログラム１２４に従ってＣＰＵ１２０が演算処理を実行することで、スロットマシン１全体の動作を統括制御している。
【００５０】
また、記憶部１２１の制御ＲＡＭ１２３にはメダルクレジット手段１２６が設けられている。メダルクレジット手段１２６はスロットマシン１が内部貯留するメダルの数であるクレジットをメモリに記憶する。
【００５１】
また、主制御基板２０には、ベットボタン７３、７４、スタートレバー７５、ストップボタン７６ａ、７６ｂ、７６ｃ、精算ボタン７７、設定変更ボタン１４１等の操作スイッチ類、メダル選別装置３４のメダルセンサ１３１、サブ制御基板４０、数値情報表示部１５１、１５２を駆動する表示部駆動回路１５３等がハーネスを介して接続されている。また、主制御基板２０には、電源基板２５を介して、メダル払出装置であるホッパ装置２１、開閉検出スイッチ２１１及び設定用シリンダ錠２２０に設けられたロータリースイッチ２５４等が電気的に接続されている。
【００５２】
主制御基板２０は、前記操作スイッチ類やメダル選別装置３４のメダルセンサ１３１からの出力信号によりゲームに係る操作を検出する。
【００５３】
また、主制御基板２０は、動作モードがメダルベット待機状態となっている場合において、メダルセンサ１３１がメダルを検出した場合、検出したメダルをゲームの賭数に加算する。
【００５４】
また、主制御基板２０は、動作モードがメダルクレジット入力待機状態となっている場合において、メダルセンサ１３１がメダルを検出した場合、検出したメダルをメダルクレジット手段１２６のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段１２６の前記クレジット数が最大値（５０）になるまでの状態のことを示している。
【００５５】
また、主制御基板２０は、各リール１０１ａ、１０１ｂ、１０１ｃに設けられる基準位置センサ１０３ａ、１０３ｂ、１０３ｃの検出信号を入力し、各リールの基準となる回転位置を把握しながら、回胴装置基板１１０に所定の回胴駆動パルスデータを送出する。回胴装置基板１１０は、主制御基板２０からの回胴駆動パルスデータに従って各ステッピングモータ１０２ａ、１０２ｂ、１０２ｃを回転駆動することで、各リール１０１ａ、１０１ｂ、１０１ｃの回転及び停止の動作制御を行っている。
【００５６】
また、主制御基板２０は、入賞が確定した場合等において、電源装置２５を介してホッパ装置２１を制御することで、所定数のメダルをメダル受皿６２に払い出す。
【００５７】
さらに、主制御基板２０は、精算ボタン７７が操作された場合、ゲームに賭けられたメダルをキャンセルしてホッパ装置２１に払い出させるとともに、メダルクレジット手段１２６（図３参照）が内部貯留したメダルを精算してホッパ装置２１に精算前のクレジット数のメダルを払い出させる。
【００５８】
サブ制御基板４０は、主制御基板２０からの制御信号に基づいて液晶表示装置４６（図１参照）、演出用照明部４３（図１参照）、演出用放音部４４ａ、４４ｂ、６３ａ、６３ｂ（図１参照）のスピーカ３２ａ、３２ｂ、３８ａ、３８ｂ等の演出装置５０を制御駆動することで、遊技者の視覚や聴覚に訴える演出をゲームの進行に応じて行っている。
【００５９】
一方、主制御基板２０の記憶部１２１のプログラムＲＯＭ１２２には、入賞抽選テーブル１２５が記憶されている。また、記憶部１２１の制御ＲＡＭ１２３には、内部当選した入賞役に対応するフラグを記憶する内部抽選フラグ記憶領域１２７が設定されている。さらに、記憶部１２１の制御ＲＡＭ１２３、前記入賞役を抽選する抽選確率の設定を記憶する設定記憶領域１２８が設定されている。主制御基板２０のＣＰＵ１２０は、前記開閉検出スイッチ２１１の検出結果が後述の電源ユニット用前扉２０４の閉塞を示し、且つロータリースイッチ２５４の検出結果が後述の設定キー嵌合部２５３がオン位置にあることを示す場合に限って、設定変更ボタン１４１からの操作入力に基づいて入賞役を抽選する抽選確率の設定変更を行い、この変更された設定を設定記憶領域１２８に記憶させるようになっている。
【００６０】
主制御基板２０には、乱数値のデータを発生する乱数発生装置１２９がＣＰＵ１２０に接続した状態で設けられている。例えばＣＰＵ１２０は、スタートレバー７５の操作を検出した時点で乱数発生装置１２９から乱数値を取得し、設定記憶領域１２８に記憶された設定に対応する入賞抽選テーブル１２５を参照することで、得られた乱数値に割り当てられた入賞役またはハズレを抽選する。そして、ＣＰＵ１２０は、乱数値に対応する入賞役が存在すると、それを当該ゲームの入賞役として抽選結果を当選にし、記憶部１２１の内部抽選フラグ記憶領域１２７における当選した入賞役のフラグをオンにする。ここでは、かかる入賞役の抽選方法を「内部抽選」と呼んでいる。
【００６１】
次に、スロットマシン１におけるゲーム動作の概要を説明する。
【００６２】
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４６等によって行われる。次に、遊技者がメダル投入ガイド７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００６３】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ記憶領域１２７に記憶される。
【００６４】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域１２７に記憶された内部抽選の入賞役に係る図柄の組合せとが一致しているかどうか判定する。
【００６５】
これら図柄の組合せが一致し役への入賞が確定すると、スロットマシン１は、主制御基板２０によりメダルクレジット手段１２６の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６２へ払い出す。
【００６６】
以下、図４乃至図７を参照して電源ユニット２４について詳細に説明する。
【００６７】
図４は、電源ユニット２４の電源ユニット用前扉２０４を開放した状態の斜視図である。図５は、電源ユニット２４の電源ユニット用前扉２０４を閉塞した状態の斜視図である。図６は、電源ユニット２４の電源ユニット用前扉２０４を開放した状態の正面図である。図７は、電源ユニット２４の電源ユニット用前扉２０４を閉塞した状態の正面図である。
【００６８】
図４において、電源ユニット２４は、筐体２０１の内部に電源基板２５を収納し、筐体２０１の前面部２０２に電源スイッチ２１０、開閉検出スイッチ２１１や設定用シリンダ錠２２０等を設けたものである。
【００６９】
筐体２０１は、筐体本体２０３の前面に前面部２０２を取付けた構造になっている。筐体本体２０３は、前方に開口を形成した板金製の箱体であり、その前面に前面部２０２がネジ止め固定されることで前方の開口が閉塞されるようになっている。
【００７０】
筐体本体２０３の上面２３０の左辺には、本体筐体２（図２参照）の左側壁にネジ止めされる取付部３１１が上方に延出して設けられている。
筐体本体２０３の下面前方には、本体筐体２（図２参照）の底板にネジ止めされる取付部３１２が前方に延出して設けられている。
【００７１】
また、筐体本体２０３の上面２３０には、電源基板２５に実装された基板側コネクタ２３１、２３２を外部に露出させるための貫通部２３３、２３４が形成されている。基板側コネクタ２３１は、貫通部２３３を介して主制御基板２０と接続したハーネスに接続する。基板側コネクタ２３２は、貫通部２３４を介してホッパ装置２１と接続する。
【００７２】
図４及び図５において、前面部２０２の表面には、電源ユニット用前扉２０４が開閉可能な状態で設けられている。図４に示した電源スイッチ２１０、開閉検出スイッチ２１１や設定用シリンダ錠２２０は、図５に示すように電源ユニット用前扉２０４を閉塞することで外部から接触を防止することができる。
【００７３】
以下、電源ユニット用前扉２０４について詳細に説明する。
図７において、電源ユニット用前扉２０４は、例えばポリカーボネイト等の透明樹脂で形成され、左上コーナー及び左下のコーナーに、当該電源ユニット用前扉２０４の回動軸となる前面部２０２の円柱部材２１５、２１６にそれぞれ掛かるフック部２４１、２４２がそれぞれ形成されている。電源ユニット用前扉２０４の右側中間部には、前面部２０２の扉開放操作部２１７が挿入される貫通部２４３が形成されている。電源ユニット用前扉２０４の表面の貫通部２４３の左側には、後述の扉開放操作部２１７の操作を容易にするための凹部２４４が形成されている。電源ユニット用前扉２０４の表面の貫通部２４３の右側には、電源ユニット用前扉２０４の開閉操作の扉開放操作の際に指で引っ張られる板状部２４５が表側に突出して形成されている。
【００７４】
図４において、電源ユニット用前扉２０４の上下の中間部の左側には、板面を表側に向けて膨出させることで、電源ユニット用前扉２０４の前面部２０２を覆った状態で後述の設定キー２６０の摘み部２６４を収納する設定キー収容部２４６が形成されている。
【００７５】
電源ユニット用前扉２０４の裏面には、不正器具の進入を防止するための壁部２４７が形成されている。
【００７６】
以下、設定キー２６０について詳細に説明する。
図４において、設定キー２６０は、板状部２６１の一方及び他方の脇に前扉用シリンダ錠ロータ２５２と嵌合する嵌合部２６２、２６３が形成されている。設定キー２６０の基端側には、幅広の摘み部２６４が形成されている。
【００７７】
以下、前面部２０２について詳細に説明する。
図６及び図７において、前面部２０２の左上コーナー及び左下のコーナーの若干内側には、電源ユニット用前扉２０４の回動軸となる円柱部材２１５、２１６が設けられている。
電源ユニット用前扉２０４と前面部２０２の間には、ねじりバネ２４８が設けられている。ねじりバネ２４８は、前面部２０２を閉塞する方向に電源ユニット用前扉２０４を付勢している。
【００７８】
図６において、前面部２０２の表面における上下の中間部の左側には、扉開放操作部２１７が前方に突出して形成されている。扉開放操作部２１７は、板状に形成され、左面に電源ユニット用前扉２０４の貫通部２４３（図４及び図７参照）の縁に係止する係止爪２４９が形成されている。
【００７９】
前面部２０２の表面の上辺、下辺及び右辺の近傍には、電源ユニット用前扉２０４が閉塞した状態で壁部２４７（図４参照）を挟む仕切り部２１８、２１９が形成されている。
【００８０】
前面部２０２の表面の下部には、開閉検出スイッチ２１１が設けられている。開閉検出スイッチ２１１は、閉塞する電源ユニット用前扉２０４により押圧されて移動する突起部２１２を有している。即ち、開閉検出スイッチ２１１は、突起部２１２の移動を検出することで電源ユニット用前扉２０４の開閉を検出している。
【００８１】
前面部２０２の表面における上下の中間部の左側には、設定用シリンダ錠２２０が設けられている。
【００８２】
設定用シリンダ錠２２０は、前面部２０２に取付け固定される前記設定用シリンダ錠本体２５１と設定用シリンダ錠ロータ２５２を有している。設定用シリンダ錠ロータ２５２は、図４に示す設定キー２６０の嵌合部２６２、２６３と嵌合する設定キー嵌合部２５３を鍵穴として有している。
【００８３】
図４及び図６において、設定用シリンダ錠ロータ２５２は、前記設定用シリンダ錠本体２５１の筒内に挿入され、当該筒内で係止固定状態（ロック状態）及び回転可能な状態（ロック解除状態）の何れか一方の状態にあり、前記設定キー嵌合部２５３が前記設定キー２６０と嵌合することで前記筒内での係止固定状態を解除する。設定用シリンダ錠ロータ２５２の係止固定状態では、設定キー２６０の幅方向が上下方向を向く。
【００８４】
図６において、設定用シリンダ錠２２０には、前記設定用シリンダ錠ロータ２５２の回動角が第１及び第２の回動範囲Ｓ１、Ｓ２の何れにあるかを検出する設定用シリンダ錠ロータ回動角検出手段としてのロータリースイッチ２５４が設けられている。前記設定用シリンダ錠ロータ２５２の第１の回動範囲Ｓ１は、設定用シリンダ錠ロータ２５２が係止固定状態に有る状態を含んでおり、設定変更を不可とする範囲である。前記設定用シリンダ錠ロータ２５２の第２の回動範囲Ｓ２は、設定変更を可能にする範囲であり、前記第１の回動範囲より右回り側に配置している。
【００８５】
ここで、設定キー収容部２４６は背面側が開口する横長の箱形状で形成されている。設定キー収容部２４６は、前記設定用シリンダ錠ロータ２５２の回動角が第２の回動範囲Ｓ１にある場合のみ前扉用シリンダ錠ロータ２５２と嵌合した設定キー２６０の摘み部２６４を収納可能になっている。
【００８６】
以下、スロットマシン１の設定変更方法について説明する。
図１に示すスロットマシン１の入賞役の当選確率の設定変更を行う場合には、スロットマシン１の管理者等の作業者が鍵穴７９に所定の扉キーを挿入して開錠操作し、蝶番機構によって本体筐体２に取付けられている外装用前扉３を前方へ開く。
【００８７】
次に、作業者は、図５及び図７に示す電源ユニット２４の扉開放操作部２１７を右方向に押圧操作して、左面に電源ユニット用前扉２０４の貫通部２４３の縁に対する係止爪２４９の係止を解除して図４及び図６に示すように前面部２０２から電源ユニット用前扉２０４を開く。
【００８８】
次に、作業者は、電源ユニット用前扉２０４が開いた状態で、図４及び図６に示す電源スイッチ２１０をオフし、この後設定用シリンダ錠２２０の鍵穴である設定キー嵌合部２５３に設定キー２６０の嵌合部２６２、２６３を挿入して嵌合させ、設定用シリンダ錠ロータ２５２を回動可能な状態にする。次に、作業者は、設定キー２６０を右回りに回して当該設定キー２６０の幅方向をオン方向である水平方向にすることで、前記設定用シリンダ錠ロータ２５２を第２の回動範囲Ｓ２に移動させる。これにより、ロータリースイッチ２５４は、前記設定用シリンダ錠ロータ２５２の回動角が第２の回動範囲Ｓ２にあることを検出し、この検出結果を主制御基板２０のＣＰＵ１２０に導く。
【００８９】
次に、作業者は、電源スイッチ２１０をオンし、前面部２０２に対して電源ユニット用前扉２０４を閉じることで、設定キー収容部２４６に設定キー２６０の摘み部２６４を収納する。この状態では、開閉検出スイッチ２１１がオンし、左面に電源ユニット用前扉２０４の貫通部２４３の縁に対する係止爪２４９が係止する。これにより、図３に示す主制御基板２０は、開閉検出スイッチ２１１の検出結果より電源ユニット用前扉２０４を閉じたことを認識し、表示部駆動回路１５３を制御して数値情報表示部１５２に入賞役を抽選する抽選確率の設定を数値表示する。
【００９０】
次に、作業者は、中央表示基板３３の透明カバー１４２を開くことで設定変更ボタン１４１を露出させ、設定変更ボタン１４１を押圧することでオン操作を行う。
【００９１】
ここで、主制御基板２０のＣＰＵ１２０は、設定変更ボタン１４１が一回オン操作される毎に数値情報表示部１５２に表示されている設定候補値を一回変更する。ここで、設定候補値を一回変更する方法は、変更前の設定候補値が１から５場合、数字１だけカウントアップすることで変更後の設定候補値とし、変更前の設定候補値が６の場合、１を変更後の設定候補値としている。
【００９２】
作業者は、設定変更ボタン１４１をｎ回押すことで、設定候補値をｎ回変更し、レバー７５をオン操作することで、設定候補値を実際の設定値として主制御基板２０の記憶部１２１の設定記憶領域１２８に記憶させる。
【００９３】
この後、作業者は、左面に電源ユニット用前扉２０４の貫通部２４３の縁に対する係止爪２４９の係止を解除して図４及び図６に示すように前面部２０２から電源ユニット用前扉２０４を開き、設定用シリンダ錠２２０に差し込まれた設定キー２６０を左回りに回して設定キー２６０の幅方向をオフ方向にすることで、前記設定用シリンダ錠ロータ２５２を第１の回動範囲Ｓ１に移動させる。これにより、ロータリースイッチ２５４は、前記設定用シリンダ錠ロータ２５２の回動角が第１の回動範囲Ｓ１にあることを検出し、この検出結果を主制御基板２０のＣＰＵ１２０に導く。
【００９４】
この後、作業者は、設定用シリンダ錠２２０から設定キー２６０を引き抜き、前面部２０２に対して電源ユニット用前扉２０４を閉じ、次に本体筐体２に対して外装用前扉３を閉塞することでスロットマシン１を遊技可能にする。
【００９５】
ここで、不正を行う者が外装用前扉３と本体筐体２の間の隙間に不正器具を挿入して賞役の当選確率が高い方に不正に設定変更しようとする場合を考える。この場合には、不正を行う者は針金による第１の不正器具及び針金の先端に偽造された設定キーを取付けた第２の不正器具を用意し、外装用前扉３と本体筐体２の間の隙間に第１及び第２の不正器具を挿入し、挿入した第１の不正器具を用いて、前面部２０２から電源ユニット用前扉２０４を開く。
【００９６】
電源ユニット用前扉２０４が開いた状態で不正を行う者は、第１の不正器具を用いて電源スイッチ２１０をオフし、この後、設定用シリンダ錠２２０の鍵穴である設定キー嵌合部２５３に第２の不正器具の先端部に取り付けた設定キーを嵌合させ、設定キーを右回りに回して当該設定キーの幅方向をオン方向である水平方向にし、この後に第１の不正器具を用いて電源スイッチ２１０をオンにする。しかしながらこの状態では、第２の不正器具は設定キー嵌合部２５３から外せないので、前面部２０２に対して電源ユニット用前扉２０４を閉じることは不可能で、開閉検出スイッチ２１１がオフとなり、ＣＰＵ１２０は、設定変更ボタン１４１が操作されたり、または電源ユニット２４の基板側コネクタ２３１がショートされたりする等の操作が行われたとしても設定変更を行わない。これにより不正な設定変更は不可能になる。
【００９７】
以上説明した構造及び動作を纏めると、主制御基板２０は、本体筐体２及び外装用前扉３によって形成される空間の内側に設けられ、所定の遊技操作を契機に入賞役を抽選する抽選手段になっている。
【００９８】
前扉用シリンダ錠７８は、前記外装用前扉３を前記本体筐体２に固定するとともに当該固定の解除を行う前扉ロック機構部になっている。
【００９９】
電源ユニット２４は、本体筐体２及び外装用前扉３によって形成される空間の内側に設けられ、前記本体筐体２の壁面に形成された貫通孔９を介して本体筐体２の外部から電力が供給され、供給された電力から所定の電圧値の電力を生成して前記抽選手段及び前記遊技媒体払出手段に供給する。
【０１００】
設定用シリンダ錠２２０は、前記電源ユニット２４の前面に設けられ、設定キー２６０と嵌合する設定キー嵌合部２５３を有し、当該設定キー嵌合部２５３が前記設定キー２６０と嵌合することで当該設定キー嵌合部２５３のオフ位置からオン位置への回動操作が可能になる。
【０１０１】
電源ユニット用前扉２０４は、前記電源ユニット２４に対して回動可能に取付けられることで前記前記電源ユニット２４の前面を開閉可能な状態で覆うとともに、前記電源ユニットの前面を覆った状態で設定キーの操作部を収納する設定キー収容部を形成している。
【０１０２】
開閉検出スイッチ２１１は、前記電源ユニット２４に対する電源ユニット用前扉２０４の開閉を検出する。
【０１０３】
設定変更ボタン１４１は、設定変更のための操作入力が可能な設定変更用操作入力手段となっている。
【０１０４】
主制御基板２０のＣＰＵ１２０及び設定記憶領域１２８は、前記開閉検出スイッチ２１１の検出結果が前記電源ユニット用前扉２０４の閉塞を示し、且つ前記設定キー嵌合部２５３がオン位置にある場合に限って、設定変更ボタン１４１からの操作入力に基づいて入賞役を抽選する抽選確率の設定変更を行う設定変更手段となっている。
【０１０５】
以上説明したように、図１乃至図７に示した第１の実施形態のスロットマシン１によれば、主制御基板２０のＣＰＵ１２０及び設定記憶領域１２８は、前記開閉検出スイッチ２１１の検出結果が前記電源ユニット用前扉２０４の閉塞を示し、且つ前記設定キー嵌合部２５３がオン位置にある場合に限って、設定変更ボタン１４１からの操作入力に基づいて入賞役を抽選する抽選確率の設定変更を行うので、前記外装用前扉３を前記本体筐体２の間の隙間から不正器具が挿入され入賞役の当選確率が高い方に不正に設定変更されることを防止でき、不正な遊技行為を防止して遊技施設の経営改善を図ることができる。
【０１０６】
尚、図１乃至図７に示した第１の実施形態のスロットマシン１の変形例として、図１乃至図７に示した第１の実施形態の処理に加えて、前記開閉検出スイッチ２１１の検出結果が前記電源ユニット用前扉２０４の閉塞を示さない状態で設定変更ボタン１４１からの操作入力が行われた場合、主制御基板２０のＣＰＵ１２０がサブ制御基板４０を制御してスピーカ３２ａ、３２ｂ、３８ａ、３８ｂに警告音を発生させるように構成してもよい。
【０１０７】
以下、本発明に係る遊技機の好適な第２の実施形態を図８及び図９を参照して説明する。尚、図８は本発明の第２の実施形態による電源ユニット５００を示す斜視図である。図９は本発明の第２の実施形態によるスロットマシンの制御システムを表したブロック図である。
【０１０８】
ここで、図８及び図９を用いた第２の実施形態の説明では、図１乃至図７に示した第１の実施形態と同様の構成要素に同じ部号を付し、説明を省略する。また、第２の実施形態の図８及び図９に図示していない部分は、図１乃至図７に示した第１の実施形態と同様になっている。
【０１０９】
図８において、電源ユニット５００は、電源ユニット用前扉５０４にＩＣタグ５１１を設け、筐体５０１の前面部５０２にＩＣタグ５１１に対して電波信号の送受信を行う信号送受信部５１２を設けている。尚、本実施形態の電源ユニット５００では、図４に示した機械式の開閉検出スイッチは設けていない。
【０１１０】
図８において、ＩＣタグ５１１は、特定のＩＤ番号を有し、電源ユニット用前扉５０４の開閉に応じて移動する。またＩＣタグ５１１は、前面部５０２に対して扉５０４が閉塞した状態で信号送受信部５１２に近接して配置し、信号送受信部５１２から電波信号による読み出し制御信号を受信した場合にＩＤ番号を電波信号に変換して送信する。また、ＩＣタグ５１１は、前面部５０２に対して扉５０４が少しでも開放した場合、信号送受信部５１２から電波信号を受信不能になり、この状態ではＩＤ番号の送信を行わない。
【０１１１】
このような構成により、ＩＣタグ５１１は、当該電源ユニット用前扉の開閉に応じて固有情報（ＩＤ番号）を出力する。
信号送受信部５１２は、ＩＣタグ５１１からの前記固有情報を受信することで前記電源ユニットに対する電源ユニット用前扉の開閉を検出する。
【０１１２】
図９において、信号送受信部５１２は、読み出し制御信号を変調し電波信号として発信するとともに、ＩＣタグ５１１からの電波信号を受信した場合に、この受信信号を復調してＩＣタグ５１１のＩＤ番号のデータに変換し、このＩＤ番号のデータが当該信号送受信部５１２に予め記憶されたＩＤ番号のデータと照合して一致した場合に扉の閉塞を示す検出信号を電源基板２５を介して主制御基板２０のＣＰＵ１２０に導く。尚、電源基板２５において、信号送受信部５１２の検出信号と、前記設定キー嵌合部２５３がオン位置にあるか否かに基づいて、入賞役を抽選する抽選確率の設定変更を許可するか否かの判別を行うようにしてもよい。
【０１１３】
主制御基板２０のＣＰＵ１２０及び設定記憶領域１２８は、信号送受信部５１２の検出結果となる検出信号が前記電源ユニット用前扉５０４の閉塞を示し、且つ前記設定キー嵌合部２５３がオン位置にある場合に限って、設定変更ボタン１４１からの操作入力に基づいて入賞役を抽選する抽選確率の設定変更を行う設定変更手段となっている。
【０１１４】
図８及び図９に示した第２の実施形態によれば、主制御基板２０のＣＰＵ１２０及び設定記憶領域１２８は、信号送受信部５１２の検出結果が前記電源ユニット用前扉５０４の閉塞を示し、且つ前記設定キー嵌合部２５３がオン位置にある場合に限って、設定変更ボタン１４１からの操作入力に基づいて入賞役を抽選する抽選確率の設定変更を行うので、外装用前扉と本体筐体の間の隙間から不正器具が挿入され入賞役の当選確率が高い方に不正に設定変更されることを防止でき、図１乃至図７に示した実施形態と同様の効果が得られる。
【０１１５】
尚、図８及び図９に示した第２の実施形態では、ＩＣタグ５１１のＩＤ番号の照合を信号送受信部５１２で行っているが、変形例として、信号送受信部５１２でＩＤ番号のデータの復調のみを行い、信号送受信部５１２からＩＣタグ５１１のＩＤ番号のデータを主制御基板２０のＣＰＵ１２０に転送し、主制御基板２０のＣＰＵ１２０においてＩＤ番号の照合を行うことで、電源ユニット用前扉５０４の閉塞の判定を行うように構成してもよい。また、この場合のＩＤ番号の照合をサブ制御基板４０または電源基板２５で行うように構成してもよい。さらに、図８及び図９に示した第２の実施形態の処理に加えて、信号送受信部５１２の検出結果が前記電源ユニット用前扉５０４の閉塞を示さない状態で設定変更ボタン１４１からの操作入力が行われた場合、主制御基板２０のＣＰＵ１２０がサブ制御基板４０を制御してスピーカ３２ａ、３２ｂ、３８ａ、３８ｂに警告音を発生させるように構成してもよい。
【０１１６】
以下、本発明に係る遊技機の好適な第３の実施形態を図１０及び図１１を参照して説明する。尚、図１０は本発明の第３の実施形態による電源ユニット５００を示す斜視図である。図１１は本発明の第３の実施形態によるスロットマシンの制御システムを表したブロック図である。
【０１１７】
ここで、図１０及び図１１を用いた第３の実施形態の説明では、図８及び図９に示した第１の実施形態と同様の構成要素に同じ部号を付し、説明を省略する。また、第３の実施形態の図１０及び図１１に図示していない部分は、図１乃至図７に示した第１の実施形態と同様になっている。
【０１１８】
図１０において、設定キー６６０の摘み部６６４には特定のＩＤ番号を有する前記設定キー側ＩＣタグ６６５を設けている。
電源ユニット用前扉５０４には前扉側ＩＣタグ５１１を設けている。
【０１１９】
電源ユニット６００の筐体６０１の前面部６０２には、前扉側ＩＣタグ５１１に対して電波信号の送受信を行う前扉側ＩＣタグ用信号送受信部６１１が設けられているとともに、前記設定キー側ＩＣタグ６６５に対して電波信号の送受信を行う設定キー側ＩＣタグ用信号送受信部６１２が設けられている。この設定キー側ＩＣタグ用信号送受信部６１２は、設定用シリンダ錠２２０の近傍に配置している。
【０１２０】
前扉側ＩＣタグ５１１は、前面部５０２に対して扉５０４が閉塞した状態で前扉側ＩＣタグ用信号送受信部６１１に近接して配置し、前扉側ＩＣタグ用信号送受信部６１１から電波信号による読み出し制御信号を受信した場合に特定のＩＤ番号を電波信号に変換して発信する。
【０１２１】
設定キー側ＩＣタグ６５１は、設定キー６６０の嵌合部２６２、２６３が設定用シリンダ錠２２０の設定キー嵌合部２５３に差し込まれた状態で設定キー側ＩＣタグ用信号送受信部６１２に近接して配置し、設定キー側ＩＣタグ用信号送受信部６１２から電波信号による読み出し制御信号を受信した場合に特定のＩＤ番号を電波信号に変換して発信する。設定キー側ＩＣタグ６５１の特定のＩＤ番号は、前扉側ＩＣタグ５１１の特定のＩＤ番号と一致または対応している。
【０１２２】
即ち、設定キー側ＩＣタグ６５１は、前記設定キー６６０に設けられ、特定の第１の固有情報（ＩＤ番号）を有し、前記設定キー嵌合部２５３に前記設定キー６６０が嵌合した状態で前記設定キー嵌合部２５３がオン位置にある場合に前記特定の第１の固有情報を出力する。
【０１２３】
前扉側ＩＣタグ５１１は、特定の第２の固有情報（ＩＤ番号）を有し、当該電源ユニット用前扉５０４の開閉に応じて前記特定の第２の固有情報を出力する。
【０１２４】
前扉側ＩＣタグ用信号送受信部６１１は、当該電源ユニット６００に対して前記電源ユニット用前扉５０４が閉じた状態で前記前扉側ＩＣタグ５１１と信号の送受信が可能になり、当該前扉側ＩＣタグ５１１と信号の送受信を行うことで当該前扉側ＩＣタグ５１１のＩＤ番号を読み取り当該ＩＤ番号のデータを図１１に示す主制御基板２０に向けて出力する。尚、前扉側ＩＣタグ用信号送受信部６１１からのＩＤ番号のデータは電源基板２５に出力し当該電源基板２５おいて照合処理を行ってもよい。
【０１２５】
図１０において、設定キー側ＩＣタグ用信号送受信部６１２は、前記設定キー嵌合部２５３に前記設定キー６６０が嵌合した状態で前記設定キー側ＩＣタグ６６５と信号の送受信が可能になり、当該設定キー側ＩＣタグ６６５と信号の送受信を行うことで当該設定キー側ＩＣタグ６６５のＩＤ番号を読み取り当該ＩＤ番号のデータを図１１に示す主制御基板２０に向けて出力する。尚、設定キー側ＩＣタグ用信号送受信部６１２からの該ＩＤ番号のデータは電源基板２５に出力し当該電源基板２５おいて照合処理を行ってもよい。
【０１２６】
このような処理により前扉側ＩＣタグ用信号送受信部６１１及び設定キー側ＩＣタグ用信号送受信部６１２は、設定キー側ＩＣタグ６５１から出力された前記特定の第１の固有情報及び前記前扉側ＩＣタグ５１１から出力された前記特定の第２の固有情報を受信する固有情報受信部となっている。
【０１２７】
主制御基板２０のＣＰＵ１２０は、前記前扉側ＩＣタグ用信号送受信部６１１からのＩＤ番号のデータが前記設定キー側ＩＣタグ用信号送受信部６１２からのＩＤ番号のデータより後に供給され、且つ前記前扉側ＩＣタグ用信号送受信部６１１からのＩＤ番号のデータが前記設定キー側ＩＣタグ用信号送受信部６１２からのＩＤ番号のデータと一致または対応した場合に限り、前記設定変更ボタン１４１からの操作入力に基づいて入賞役を抽選する抽選確率の設定変更を行う設定変更手段となっている。
【０１２８】
即ち、主制御基板２０のＣＰＵ１２０は、前記特定の第２の固有情報が前記特定の第１の固有情報より後に供給され、且つ前記特定の第２の固有情報が前記特定の第１の固有情報と一致または対応した場合に限り、前記設定変更ボタンからの操作入力に基づいて前記入賞役を抽選する抽選確率の設定変更を行う。
【０１２９】
図１０及び図１１に示した第３の実施形態によれば、主制御基板２０のＣＰＵ１２０は、前記前扉側ＩＣタグ用信号送受信部６１１からのＩＤ番号のデータが前記設定キー側ＩＣタグ用信号送受信部６１２からのＩＤ番号のデータより後に供給され、且つ前記前扉側ＩＣタグ用信号送受信部６１１からのＩＤ番号のデータが前記設定キー側ＩＣタグ用信号送受信部６１２からのＩＤ番号のデータと一致または対応した場合に限り、前記設定変更ボタン１４１からの操作入力に基づいて入賞役を抽選する抽選確率の設定変更を行うので、図８及び図９に示した第２の実施形態と同様の効果が得られるとともに、設定キー６６０の摘み部６６４には特定のＩＤ番号を有するＩＣタグ６６５を設け、これにより設定キー６６０の真贋の判定を行うので、より確実に不正な設定変更を防止できる。
【０１３０】
尚、図１０及び図１１に示した第３の実施形態では、ＩＣタグ５１１、６６５のＩＤ番号の照合を主制御基板２０のＣＰＵ１２０で行っているが、この場合のＩＤ番号の照合をサブ制御基板４０または電源基板２５で行うように構成してもよい。また、図１０及び図１１に示した第３の実施形態の処理に加えて、前記前扉側ＩＣタグ用信号送受信部６１１からのＩＤ番号のデータが供給されない状態で、設定変更ボタン１４１からの操作入力が行われた場合、主制御基板２０のＣＰＵ１２０がサブ制御基板４０を制御してスピーカ３２ａ、３２ｂ、３８ａ、３８ｂに警告音を発生させるように構成してもよい。さらに、且つ前記前扉側ＩＣタグ用信号送受信部６１１からのＩＤ番号のデータが前記設定キー側ＩＣタグ用信号送受信部６１２からのＩＤ番号のデータと一致または対応しなかった場合に、主制御基板２０のＣＰＵ１２０がサブ制御基板４０を制御してスピーカ３２ａ、３２ｂ、３８ａ、３８ｂに警告音を発生させるように構成してもよい。
【０１３１】
さらに、図１乃至図１１に示した第１乃至第３の実施形態において、透明カバー１４２にＩＣタグ等を設けて、透明カバー１４２の開閉を検出し、この検出結果が透明カバー１４２の閉塞を示した状態で設定変更ボタン１４１の操作入力を示す信号が主制御基板２０のＣＰＵ１２０に供給された場合、設定変更を不可にするとともにサブ制御基板４０を制御してスピーカ３２ａ、３２ｂ、３８ａ、３８ｂに警告音を発生させるように構成してもよい。これにより、さらに確実に不正行為を防止できる。
【産業上の利用可能性】
【０１３２】
本発明は、スロットマシンに限らず、メダルを使用するアレンジボール、雀球遊技機等の他の遊技機に応用することができる。
【図面の簡単な説明】
【０１３３】
【図１】図１は、本発明の第１の実施形態によるスロットマシンの外観構造を表した斜視図である。
【図２】図２は、本発明の第１の実施形態によるスロットマシンの内部構造を表した図である。
【図３】図３は、本発明の第１の実施形態によるスロットマシンの制御システムを表したブロック図である。
【図４】図４は、本発明の第１の実施形態による電源ユニットの前扉を開放した状態の斜視図である。
【図５】図５は、本発明の第１の実施形態による電源ユニットの前扉を閉塞した状態の斜視図である。
【図６】図６は、本発明の第１の実施形態による電源ユニットの前扉を開放した状態の正面図である。
【図７】図７は、本発明の第１の実施形態による電源ユニットの前扉を閉塞した状態の正面図である。
【図８】図８は、本発明の第２の実施形態による電源ユニットを示す斜視図である。
【図９】図９は、本発明の第２の実施形態によるスロットマシンの制御システムを表したブロック図である。
【図１０】図１０は、本発明の第３の実施形態による電源ユニットを示す斜視図である。
【図１１】図１１は、本発明の第３の実施形態によるスロットマシンの制御システムを表したブロック図である。
【符号の説明】
【０１３４】
１…スロットマシン、２…本体筐体、３…外装用前扉、
４…上部パネル部、５…下部パネル部、６…メダル受皿部、
７…操作部、８…開口、
９…貫通孔、１０…電源コード、２０…主制御基板、２１…ホッパ装置、
２２…メダル排出口、２３…補助貯留部、２４…電源ユニット、
２５…電源基板、２６…外部集中端子基板、３０…発光駆動部、
３２ａ、３２ｂ…スピーカ、３３…中央表示基板、
３４…メダル選別装置、３５…ガイド部材、
３６…ガイド部材、３７…ガイド部材、３８ａ、３８ｂ…スピーカ、
４０…サブ制御基板、４１…パネル面、
４２…表示窓、４３…演出用照明部、
４４ａ、４４ｂ…演出用放音部、４６…液晶表示装置、
４５…表示窓、４７…パネル板、５０…演出装置、
５１…表示パネル、６１…メダル払出口、６２…メダル受皿、
６３ａ、６３ｂ…左右の演出用放音部、７１…メダル投入ガイド、
７２…メダル投入口、７３、７４…ベットボタン、
７５…スタートレバー、７６ａ、７６ｂ、７６ｃ…ストップボタン、
７７…精算ボタン、７８…前扉用シリンダ錠、７９…鍵穴、
８０、９０…基板ケース、８１、８２…ブラケット部材、
１００…リールユニット、１０１ａ、１０１ｂ、１０１ｃ…リール、
１０２ａ、１０２ｂ、１０２ｃ…ステッピングモータ、
１０３ａ、１０３ｂ、１０３ｃ…基準位置センサ、
１１０…回胴装置基板、１２０…ＣＰＵ、１２１…記憶部、
１２４…システムプログラム、１２６…メダルクレジット手段、
１２５…入賞抽選テーブル、１２７…内部抽選フラグ記憶領域、
１２８…設定記憶領域、１２９…乱数発生装置、１３１…メダルセンサ、
１４１…設定ボタン、１４２…カバー、
１５１、１５２…数値情報表示部、１５３…表示部駆動回路、
２０１…筐体、２０２…前面部、２０３…筐体本体、
２０４…電源ユニット用前扉、２１０…電源スイッチ、
２１５、２１６…円柱部材、２１７…扉開放操作部、
２１８、２１９…仕切り部、２２０…設定用シリンダ錠、２３０…上面、
２３１、２３２…基板側コネクタ、２３３、２３４…貫通部、
２４１、２４２…フック部、２４３…貫通部、２４４…凹部、
２４５…板状部、２４６…設定キー収容部、
２４７…壁部、２４８…ねじりバネ、２４９…係止爪、
２５１…設定用シリンダ錠本体、
２５２…設定用シリンダ錠ロータ、２５３…設定キー嵌合部、
２５４…ロータリースイッチ、２６０…設定キー、２６１…板状部、
２６２、２６３…嵌合部、２６４…摘み部、
３１１、３１２…取付部、５００…電源ユニット、５０１…筐体、
５０２…前面部、５０４…電源ユニット用前扉、５１１…ＩＣタグ、
５１２…信号送受信部、６００…電源ユニット、６０１…筐体、
６０２…前面部、６１１…信号送受信部、６１２…信号送受信部、
６６０…設定キー、６６４…摘み部、６６５…ＩＣタグ
【図１】
0004974288.tif 000002
【図２】
0004974288.tif 000003
【図３】
0004974288.tif 000004
【図４】
0004974288.tif 000005
【図５】
0004974288.tif 000006
【図６】
0004974288.tif 000007
【図７】
0004974288.tif 000008
【図８】
0004974288.tif 000009
【図９】
0004974288.tif 000010
【図１０】
0004974288.tif 000011
【図１１】
0004974288.tif 000012